(57)【要約】  【課題】専用の部材を設けることなく、隣接する机同士の隙間を狭めて配置可能にする。  【解決手段】一対の脚部２０は、一組の脚２１と、脚２１それぞれの上端側で天板１０を支持する上辺２３と、一組の脚２１下端側をつなぐ下辺２５と、からなる枠体である。前後一方の脚２１それぞれは、天板１０および他方の脚２１より左右方向の外側に位置している。左右一方の脚部２０において、下辺２５と前後他方の脚２１とを連結する第１領域３１は、この脚２１から左右方向の外側に延出し、かつ前後および上下に拡がる側方平面へ一組の脚部２０を投影した場合に、左右他方の脚部２０における第１領域３３より上方を通過する一方、上辺２３と前後一方の脚２１とを連結する第２領域３５は、上辺２３から左右方向の外側に延出し、側方平面へ一組の脚部２０を投影した場合に、左右他方の脚部２０における第２領域３７より下方を通過する。【選択図】図１
2014061263.tif 000002
【特許請求の範囲】
【請求項１】
天板と、左右それぞれにて前記天板を支持する一対の脚部と、を備えた机であって、
前記脚部は、前後に間隔を空けて配置された一組の脚と、前記脚それぞれの上端側から少なくとも前後方向および左右方向いずれかの内側に延出し、該延出した領域で前記天板を支持する上辺と、前後一方の脚の下端側から前後方向の内側に延出し、前後他方の脚へとつながる下辺と、からなる枠体として構成されており、
一対の前記脚部において、前後一方の前記脚それぞれは、前記天板および前後他方の前記脚よりも左右方向の外側に位置しており、
前記脚部において、前後他方の前記脚と前記下辺とをつなぐ第１領域は、該脚から左右方向の外側にて前記下辺とつながり、前記脚部における前後一方の前記脚と前記上辺とをつなぐ第２領域は、該上辺から左右方向の外側にて前記脚とつながっており、
前記一対の脚部は、該一対の脚部を前後方向および上下方向に拡がる平面（側方平面）へ投影した場合に、左右一方の前記脚部における前記第１領域が、左右他方の前記脚部における前記第１領域よりも前後方向および上下方向の内側を通過する位置関係で、前後他方の前記脚と前記下辺とをつないでおり、また、左右一方の前記脚部における前記第２領域または該第２領域につながれた前記脚の上端側が、左右他方の前記脚部における前記第２領域よりも、少なくとも前後方向の内側を通過する位置関係で前記脚と前記上辺とをつないでいる
ことを特徴とする机。
【請求項２】
左右一方の前記脚部は、前記側方平面へ一対の前記脚部を投影した場合に、前記第１領域が、左右他方の前記脚部における第１領域よりも上方を通過することで、左右他方の前記脚部における前記第１領域よりも前後方向および上下方向の内側を通過する位置関係とされており、また、前記第２領域が、左右他方の前記脚部における第２領域よりも下方を通過することで、左右他方の前記脚部における前記第２領域よりも、前後方向および上下方向の内側を通過する位置関係とされている
ことを特徴とする請求項１に記載の机。
【請求項３】
一対の前記脚部は、前記下辺それぞれが、前記脚の下端から延出しており、また、前記上辺それぞれが、前記脚の上端から左右方向の内側へ延出し、前後一方の前記脚同士および前後他方の前記脚同士をつなぐことにより、一対の前記脚部全体が環状につながる構造体として形成されている
ことを特徴とする請求項１または請求項２に記載の机。
【請求項４】
前記脚部は、前記下辺それぞれが前記脚の下端から延出しており、また、前記上辺それぞれが前記脚の上端から前後方向の内側に延出し、前後の前記脚同士をつなぐことにより、当該脚部における前記脚、前記上辺および前記下辺からなる枠体が環状に形成されている
ことを特徴とする請求項１または請求項２に記載の机。
【請求項５】
一対の前記脚部は、前後他方の前記脚それぞれが、下端側において脚連結杆により連結されている
ことを特徴とする請求項１から４のいずれかに記載の机。
【発明の詳細な説明】
【技術分野】
【０００１】
本発明は、天板と、一対の脚部と、を備えた机に関する。
【背景技術】
【０００２】
パイプ状の部材からなる左右一対の脚部で天板を支持する机の中には、少なくとも脚部における前後一方の脚それぞれを天板よりも外側に位置させることで、複数の机を積み重ねて収容できるように構成されたものがある。近年では、この種の机において、脚部の部材をより細くして軽量化すべく、脚部における前後の脚をそれぞれ下端側で連結して強度を確保することが行われている（特許文献１参照）。
【先行技術文献】
【特許文献】
【０００３】
【特許文献１】特開２０１０−２４０２０７号
【発明の概要】
【発明が解決しようとする課題】
【０００４】
ただ、この机では、前後一方の脚それぞれが天板よりも外側に位置し、かつ、前後の脚が下端側で連結されている構造上、複数の机を隣接して配置するような場合に、これら机の脚部同士が接触してしまい、隣接する机同士の間に不必要な隙間が形成される、という問題がある。
【０００５】
上記特許文献１では、天板を左右方向に延長させるための回動可能な補助天板を天板端部に取り付け、複数の机を隣接して配置させた後、この補助天板を回動させて天板を左右方向に延長させることで、天板同士の隙間を狭めようという対策も提案されているものの、そのためだけに専用の部材を設ける必要があり、無用なコスト負担が発生する。
【０００６】
本発明は、このような課題を解決するためになされたものであり、その目的は、専用の部材を設けることなく、隣接する机同士の隙間を狭められるようにするための技術を提供することである。
【課題を解決するための手段】
【０００７】
上記課題を解決するため第１の構成（請求項１）は、天板と、左右それぞれにて前記天板を支持する一対の脚部と、を備えた机である。
この机において、前記脚部は、前後に間隔を空けて配置された一組の脚と、前記脚それぞれの上端側から少なくとも前後方向および左右方向いずれかの内側に延出し、該延出した領域で前記天板を支持する上辺と、前後一方の脚の下端側から前後方向の内側に延出し、前後他方の脚へとつながる下辺と、からなる枠体として構成されている。
【０００８】
また、一対の前記脚部において、前後一方の前記脚それぞれは、前記天板および前後他方の前記脚よりも左右方向の外側に位置している。
また、前記脚部において、前後他方の前記脚と前記下辺とをつなぐ第１領域は、該脚から左右方向の外側にて前記下辺とつながり、前記脚部における前後一方の前記脚と前記上辺とをつなぐ第２領域は、該上辺から左右方向の外側にて前記脚とつながっている。
【０００９】
そして、前記一対の脚部は、該一対の脚部を前後方向および上下方向に拡がる平面（側方平面）へ投影した場合に、左右一方の前記脚部における前記第１領域が、左右他方の前記脚部における前記第１領域よりも前後方向および上下方向の内側を通過する位置関係で、前後他方の前記脚と前記下辺とをつないでおり、また、左右一方の前記脚部における前記第２領域または該第２領域につながれた前記脚の上端側が、左右他方の前記脚部における前記第２領域よりも、少なくとも前後方向の内側を通過する位置関係で前記脚と前記上辺とをつないでいる。
【００１０】
ここで、左右一方の前記脚部は、第２の構成（請求項２）のように、前記側方平面へ一対の前記脚部を投影した場合に、前記第１領域が、左右他方の前記脚部における第１領域よりも上方を通過することで、左右他方の前記脚部における前記第１領域よりも前後方向および上下方向の内側を通過する位置関係とされており、また、前記第２領域が、左右他方の前記脚部における第２領域よりも下方を通過することで、左右他方の前記脚部における前記第２領域よりも、前後方向および上下方向の内側を通過する位置関係とされている、ものとしてもよい。
【００１１】
このような構成の机であれば、脚部における前後一方の脚が天板よりも外側に位置していることにより、複数の机を積み重ねて収容することはもちろん、以下に示すように、隣接する机同士の隙間を狭めての配置も可能である。
【００１２】
まず、上記構成の机では、脚部における前後一方の脚だけでなく、下辺についても天板より左右方向の外側に位置しており、その結果、前後一方の脚および下辺からなる枠部分と、前後他方の脚および上辺からなる枠部分とは、左右方向にズレて上下方向に重なっていない。
【００１３】
そのため、同じ構成の机に隣接して配置する際、片方の机において一方の脚部を持ち上げながら、隣接する机における他方の脚部の下辺を乗り越えさせ、脚部の下端側を、隣接する机の脚部における左右方向の内側に位置させることができる。
【００１４】
このとき、左右一方の脚部は、第１領域が他方の脚部における第１領域よりも前後方向および上下方向の内側（第２の構成では上方）を通過しており、下端側において他方の脚部より前後方向に狭いため、隣接する机の脚部における第１領域と干渉することもない。
【００１５】
さらに、上記構成では、左右一方の脚部において、第１領域が他方の脚部における第１領域の前後方向および上下方向の内側（第２の構成では上方）を通過しているだけでなく、第２領域が他方の脚部における第２領域の少なくとも前後方向の内側（第２の構成では下方）を通過しているため、少なくとも、これらの領域で規定される距離にわたって、隣接する机における脚部と干渉することなく、机同士を接近させることができる。
【００１６】
このように、上記構成であれば、専用の部材を設けることなく、隣接する机同士の隙間を狭めて配置することができる。このとき、各脚部における第１領域、第２領域の長さや外側への延出量および角度を調整することにより、隣接する机それぞれの天板が接触するまで机同士を接近させることができる。
【００１７】
また、この構成においては、以下に示す第３の構成（請求項３）、第４の構成（請求項４）のようにしてもよい。
第３の構成において、一対の前記脚部は、前記下辺それぞれが、前記脚の下端から延出しており、また、前記上辺それぞれが、前記脚の上端から左右方向の内側へ延出し、前後一方の前記脚同士および前後他方の前記脚同士をつなぐことにより、一対の前記脚部全体が環状の構造体として形成されている。
【００１８】
この構成であれば、環状の部材または棒状の部材を加工するだけで、一対の脚部としての構造体を効率的に成形することができる。
第４の構成において、前記脚部は、前記下辺それぞれが前記脚の下端から延出しており、また、前記上辺それぞれが前記脚の上端から前後方向の内側に延出し、前後の前記脚同士をつなぐことにより、当該脚部における前記脚、前記上辺および前記下辺からなる枠体が環状に形成されている。
【００１９】
この構成であれば、環状の部材または棒状の部材を加工するだけで、それぞれの脚部からなる枠体を効率的に成形することができる。
ところで、複数の机を積み重ねる際には、積み重ねられる側の机（被積重ね側机）における左右方向に狭い前後他方の脚側から、積み重ねる側の机（積重ね側机）における左右方向に広い前後一方の脚側を重ねていくことになるが、このとき、積重ね側机には、左右方向に広い前後一方の脚間をとおって、被積重ね側机が収められる状態となるため、この脚間に部材を設けることはできない。しかし、左右方向に狭い前後他方の脚間に被積重ね側机が通過することはないため、机としての強度を確保すべく、この脚間に何らかの部材を設けてもよい。
【００２０】
このための構成としては、例えば、上記各構成を、以下に示す第５の構成(請求項５)のようにすることが考えられる。
第５の構成の前記脚部において、一対の前記脚部は、前後他方の前記脚それぞれが、下端側において脚連結杆により連結されている。
【００２１】
この構成であれば、複数の机を積み重ねて収容する機能を確保しつつ、脚連結杆により机としての強度を高めることができる。
特に、この構成を上記第４の構成に採用し、さらに、脚部として、第１領域、その下辺、前後一方の脚、第２領域、上辺、前後他方の脚とつないだ枠体それぞれを、前後他方の脚それぞれの下端において脚連結杆で連結したものとすることにより、これらを一本の棒状部材からなる構造体として成形することもできるようになる。
【図面の簡単な説明】
【００２２】
【図１】第１実施形態における机の全体構成を示す斜視図
【図２】第１実施形態における机の脚部を示す斜視図
【図３】第１実施形態における机の脚部を示す三面図
【図４】第１実施形態において複数の机が積み重ねられる様子を示す斜視図
【図５】第１実施形態において複数の机が隣接して配置される様子を示す斜視図
【図６】第２実施形態における机の全体構成を示す斜視図
【図７】第２実施形態における机の脚部を示す斜視図
【図８】第２実施形態における机の脚部を示す三面図
【図９】第２実施形態において複数の机が積み重ねられる様子を示す斜視図（ａ）および複数の机が隣接して配置される様子を示す斜視図（ｂ）
【図１０】その他の実施形態その１（１）における机の全体構成を示す斜視図
【図１１】その他の実施形態その１（１）における机の脚部を示す三面図
【図１２】その他の実施形態その１（２）における机の全体構成を示す斜視図
【図１３】その他の実施形態その１（２）における机の脚部を示す三面図
【図１４】その他の実施形態その１（３）における机の全体構成を示す斜視図
【図１５】その他の実施形態その１（３）における机の脚部を示す三面図
【図１６】その他の実施形態その２における机の全体構成を示す斜視図
【図１７】その他の実施形態その２における机の脚部を示す三面図
【図１８】その他の実施形態その２において複数の机が積み重ねられる様子を示す斜視図（ａ）および複数の机が隣接して配置される様子を示す斜視図（ｂ）
【図１９】その他の実施形態その３における机の全体構成を示す斜視図
【図２０】その他の実施形態その３における机の脚部を示す三面図
【図２１】その他の実施形態その３において複数の机が積み重ねられる様子を示す斜視図（ａ）および複数の机が隣接して配置される様子を示す斜視図（ｂ）
【発明を実施するための形態】
【００２３】
以下に本発明の実施形態を図面と共に説明する。
（１）第１実施形態
（１−１）全体構成
第１実施形態における机１は、図１に示すように、天板１０と、左右それぞれにて天板１０を支持する一対の脚部２０と、を備えている。
【００２４】
天板１０は、その裏面（下側）に設けられた収納棚１１と、天板１０の前端から下方に延びる板状の幕板１３と、からなる。
脚部２０は、図２に示すように、前後に間隔を空けて配置された一組の脚２１と、脚２１それぞれの上端側から左右方向の内側に延出し、この延出した領域で天板１０を支持する上辺２３と、前後一方（本実施形態では後方；以降便宜的に「後方」という）の脚２１の下端側から前後方向の内側に延出し、前後他方（本実施形態では前方：以降便宜的に「前方」という）の脚２１へとつながる下辺２５と、からなる枠体として構成されている。
【００２５】
本実施形態において、下辺２５それぞれは、後方の脚２１の下端から延出して前方の脚２１の下端へとつながっており、また、上辺２３それぞれは、前方の脚２１の上端から左右方向の内側へ延出し、前方の脚２１同士および後方の脚２１同士をつないでいる。こうして、一対の脚部２０全体が環状の構造体として形成されている。
【００２６】
なお、後方の脚２１から延出する上辺２３と、前方の脚２１から延出する上辺２３とは、左右それぞれの端部側領域において上辺連結杆４１により連結されている。
また、前方の脚２１それぞれは、その左右方向の外周面が、天板１０における左右方向の端部面を越えない（本実施形態では端部面と一致する）位置関係、つまり、脚部２０における前方の脚２１が、天板１０より左右方向の外側に露出しない構成とされている。
【００２７】
また、一対の脚部２０は、前方の脚２１それぞれが、下端側において脚連結杆５１により連結されている。この脚連結杆５１は、脚２１との連結部分から下方に延出して接地する補助脚部５３と共に、一本の棒状部材（本実施形態ではパイプ）により成形されている。
【００２８】
また、一対の脚部２０において、後方の脚２１それぞれは、図３に示すように、天板１０および一方の脚２１より左右方向の外側に位置している。
また、脚部２０において、前方の脚２１と下辺２５とをつなぐ第１領域３１,３３は、この脚２１から左右方向の外側にて下辺２５とつながり、脚部２０における後方の脚２１と上辺２３とをつなぐ第２領域３５,３７は、この上辺２３から左右方向の外側にて脚２１とつながっている。本実施形態において、第１領域３１,３３、第２領域３５，３７は、左右方向の外側に延出した位置で下辺２５、脚２１とそれぞれつながるように構成されている。
【００２９】
また、一対の脚部２０は、この一対の脚部２０を前後方向および上下方向に拡がる平面（側方平面）へ投影した場合に、左右一方（本実施形態では右；以降便宜的に「右」という）の脚部２０における第１領域３１が、左右他方（本実施形態では左；以降便宜的に「左」という）の脚部２０における第１領域３１よりも前後方向および上下方向の内側を通過する位置関係で、前後他方の脚２１と下辺２５とをつないでおり、また、右の脚部２０における第２領域３５が、左の脚部２０における第２領域３５よりも、前後方向および上下方向の内側を通過する位置関係で脚２１と上辺２３とをつないでいる。
【００３０】
ここで、右の脚部２０において、第１領域３１は、側方平面へ一対の脚部２０を投影した場合に、左の脚部２０における第１領域３１よりも上方を通過することで、左右他方の脚部２０における第１領域３１よりも前後方向および上下方向の内側を通過する位置関係とされている。この位置関係は、右の脚部２０における第１領域３１が、左の脚部２０よりも脚２１の上方から下辺２５に向けて延び始め、左の脚部２０よりも後方において下辺２５につながるような構成とすることにより実現されている。
【００３１】
また、右の脚部２０において、第２領域３５は、側方平面へ一対の脚部２０を投影した場合に、左の脚部２０における第２領域３７よりも下方を通過することで、左右他方の脚部２０における第２領域３５よりも、前後方向および上下方向の内側を通過する位置関係とされている。この位置関係は、右の脚部２０における第２領域３５が、左の脚部２０よりも脚２１の下方から上辺２３に向けて延び始め、左の脚部２０よりも左右方向の外側において上辺２３につながることにより、実現されている。
（１−２）作用効果
このような実施形態の机１であれば、少なくとも、脚部２０における後方の脚２１が天板１０よりも外側に位置していることにより、図４に示すように、他の机２を積み重ねて収容することはもちろん（同図（ａ）の矢印参照）、以下に示すように、隣接する机同士の隙間を狭めての配置も可能である。
【００３２】
まず、上記実施形態では、脚部２０における後方の脚２１だけでなく、下辺２５についても天板１０より左右方向の外側に位置しており、その結果、後方の脚２１および下辺２５からなる枠部分と、前方の脚２１および上辺２３からなる枠部分とは、左右方向にズレて上下方向に重なっていない。
【００３３】
そのため、図５に示すように、机１を同じ構成の机３と隣接して配置する際、右の脚部２０側を持ち上げながら、隣接する机３における左の脚部２０の下辺２５を乗り越えさせようとしても（同図（ａ）の矢印（１）参照）、隣接する机３において前方の脚２１および上辺２３からなる枠部分との干渉を避けられ（同図（ｂ）参照）、こうして脚部２０の下端側を、隣接する机３の脚部２０における左右方向の内側に位置させることができる。
【００３４】
このとき、右の脚部２０は、第１領域３１が左の脚部２０における第１領域３３より上方を通過しており、下端側において左の脚部２０より前後方向に狭いため、隣接する机２の脚部２０における第１領域３３と干渉することもない。
【００３５】
ただ、この状態では、脚部２０の下端側のみが、隣接する机２の脚部２０における左右方向の内側に位置し、上端側は左右方向の外側に位置しているため、ここが、隣接する机２における前方の脚２１および上辺２３からなる枠部分と干渉してしまうと、机同士をこれ以上接近させることはできない。
【００３６】
ところが、上記実施形態の机１では、右の脚部２０において、第１領域３１が左の脚部２０における第１領域３３の上方を通過しているだけでなく、第２領域３５が左の脚部２０における第２領域３７の下方を通過しているため、この机１を同じ構成の机３と隣接して配置する際（図５参照）、少なくとも、これら領域で規定される距離にわたって、隣接する机３における脚部２０と干渉することなく、前後の端部を揃えた状態で机１，３同士を接近させることができる。
【００３７】
このように、上記実施形態であれば、専用の部材を設けることなく、隣接する机同士の隙間を狭めて配置することができる。特に、本実施形態では、各脚部２０における第１領域３１，３３、第２領域３５，３７の長さや外側への延出量および角度を調整することにより、隣接する机１それぞれの天板１０が接触するまで机同士を接近させることができる。
【００３８】
また、上記実施形態では、一対の脚部２０全体が環状の構造体として形成されているため、環状の部材または棒状の部材を加工するだけで、一対の脚部２０からなる構造体を効率的に成形することができる。
【００３９】
また、上記実施形態では、机１を同じ構成の机２に積み重ねる際、図４に示すように、机２における左右方向に狭い前方の脚２１側から、机１における左右方向に広い後方の脚２１側を重ねていくことになるが、このとき、机１には、後方の脚２１間をとおって、その内部に第１の机２が収められる状態となる一方、前方の脚２１間に机２が通過することはないため、机１としての強度を確保すべく、この脚２１間に何らかの部材を設けてもよい。
【００４０】
この点、上記実施形態では、一対の脚部２０が、前方の脚２１それぞれが、下端側において脚連結杆５１により連結されているため、複数の机１を積み重ねて収容する機能を確保しつつ、脚連結杆５１により机としての強度を高めることができる。
（１−３）変形例
本発明は、上記実施形態に何ら限定されることはなく、本発明の技術的範囲に属する限り種々の形態をとり得ることはいうまでもない。
【００４１】
例えば、上記実施形態においては、脚部２０における前方の脚２１を、天板１０より左右方向の外側に露出させない構成としているが、この脚２１は、天板１０より左右方向の外側に露出させた構成としてもよい。
（２）第２実施形態
（２−１）全体構成
第２実施形態の机１は、以下の点で第１実施形態における机１と相違している。
【００４２】
まず、本実施形態では、図６〜図８に示すように、上辺２３それぞれが脚２１の上端から前後方向の内側に延出し、前後の脚２１同士をつなぐことにより、脚部２０における脚２１、上辺２３および下辺２５からなる枠体が環状に形成されている。
【００４３】
また、本実施形態では、一対の脚部２０において、前後他方（本実施形態では前方；以降便宜上「前方」という）の脚２１それぞれを連結する脚連結杆５１が脚２１それぞれの下端から延出する部材として形成され、第１実施形態のように、下方に延出する補助脚部５３を有していない。
【００４４】
また、本実施形態においては、図７に示すように、脚部２０それぞれを前方の上端側（本実施形態では脚２１の上端側）にて連結する第１連結杆６１と、脚部２０それぞれを前後一方（本実施形態では後方；以降便宜上「後方」という）の上端側（本実施形態では上辺２３）にて連結する第２連結杆６３と、を備えている点が、第１実施形態と相違する。そして、幕板１３は、前方からみて、第１連結杆６１が隠れる高さ（本実施形態では第１連結杆６１の下端）まで下方に延出している。
【００４５】
また、左右一方（本実施形態では右）の脚部２０において、第１領域３１は、第１実施形態と同様、側方平面へ一対の脚部２０を投影した場合に、左右他方（本実施形態では左）の脚部２０における第１領域３３よりも上方を通過する位置関係とされている。
【００４６】
また、右の脚部２０において、第２領域３５は、第２実施形態と同様、側方平面へ一対の脚部２０を投影した場合に、左の脚部２０における第２領域３７よりも下方を通過する位置関係とされている。
【００４７】
ただ、この位置関係は、右の脚部２０における第２領域３５が、左の脚部２０よりも脚２１の下方から上辺２３に向けて延び始め、左の脚部２０よりも前後方向の内側において上辺２３につながるような構成とすることにより実現されている。
（２−２）作用効果
このように構成された机１であれば、第１実施形態と同様に、複数の机１を積み重ねて収容することができることはもちろん（図９（ａ）参照）、隣接する机同士の隙間を狭めて配置することもできる（同図（ｂ）の矢印（１）,（２）参照）。
【００４８】
また、本実施形態において、脚部２０は、上辺２３それぞれが脚２１の上端から前後方向の内側に延出し、前後の脚２１同士をつなぐことにより、脚部２０が環状に形成されている。そのため、環状の部材または棒状の部材を加工するだけで、それぞれの脚部２０からなる枠体を効率的に成形することができる。
【００４９】
また、脚部２０それぞれは、前方の脚２１それぞれの下端が脚連結杆５１により連結されているため、一対の脚部２０全体を一本の棒状部材によって成形することもできる。
（２−３）変形例
本発明は、上記実施形態に何ら限定されることはなく、本発明の技術的範囲に属する限り種々の形態をとり得ることはいうまでもない。
【００５０】
例えば、上記実施形態においては、一対の脚部２０において、脚連結杆５１が脚２１それぞれの下端から延出する部材として形成され、第１実施形態のように下方に延出する補助脚部５３を有していない。しかし、脚連結杆５１は、脚２１それぞれの下端よりも上方に配置してもよい。
【００５１】
具体的には、図１０〜図１１のように、下辺２５から延びる第１領域３１，３３の端部をつなぐように脚連結杆５１を形成した構成とすることが考えられる。この脚連結杆５１は、第１実施形態と同様に、補助脚部５３と共に一本の棒状部材により形成されたものとしてもよい。
【００５２】
また、脚連結杆５１は、机１における左右一方（右）の脚部２０に、この机１と隣接する机１における左右他方（左）の脚部２０（の下辺２５）を乗り越えさせることができる程度、脚部２０下方の前後幅を確保できれば、図１２〜図１３のように、より上方に設けてもよい。この場合、脚連結杆５１を第１連結杆６１として機能させる一方、前後他方（前方）の脚２１それぞれの下端を第３連結杆６５により連結して強度を確保することも考えられる。
【００５３】
なお、図１０〜図１３の実施形態について、左右一方（本実施形態では右）の脚部２０における第１領域３１は、第１実施形態と同様、側方平面へ一対の脚部２０を投影した場合に、左右他方（本実施形態では左）の脚部２０における第１領域３３よりも上方を通過する位置関係とされている。ただ、この位置関係は、右の脚部２０における第１領域３１が、左の脚部２０よりも後方において下辺２５につながることによってのみ実現されている。
（３）その他の実施形態
以上、本発明の実施の形態について説明したが、本発明は、上記実施形態に何ら限定されることはなく、本発明の技術的範囲に属する限り種々の形態をとり得ることはいうまでもない。
（３−１）その１
例えば、上記実施形態においては、脚部２０における脚２１それぞれが上方から下方に向けて真っ直ぐに配置されているものを例示したが、この脚２１それぞれは、その一部または全部が斜めに配置された構成としてもよい。具体的な例としては、図１４〜図１５に示すように、一対の脚部２０における前後一方（後方）の脚２１それぞれが前後方向に傾けられた構成とすることが考えられる。
【００５４】
この実施形態において、左右一方（本実施形態では右）の脚部２０における第１領域３１は、第２実施形態と同様に、側方平面へ一対の脚部２０を投影した場合に、左右他方（本実施形態では左）の脚部２０における第１領域３３よりも上方を通過する位置関係とされている。
【００５５】
一方、右の脚部２０における第２領域３５は、第２実施形態と同様、側方平面へ一対の脚部２０を投影した場合に、左右他方（左）の脚部２０における第２領域３７よりも下方を通過する位置関係とされている。ただ、この位置関係は、右の脚部２０における第２領域３５が、左の脚部２０よりも脚２１の下方から上辺２３に向けて延び始め、左右他方（左）の脚部２０よりも前後方向の前方において上辺２３につながることにより、実現されている。
（３−２）その２
また、上記実施形態では、左右一方の脚部２０における第２領域３５が、左右他方の脚部２０における第２領域３７よりも下方を通過する位置関係とされたものを例示した。しかし、脚部２０における第２領域３５,３７は、左右一方の脚部２０における第２領域３５が、左右他方の脚部２０における第２領域３７よりも、少なくとも前後方向の内側を通過するような位置関係とすればよい。
【００５６】
この位置関係は、第２実施形態と同様に、脚部２０における脚２１、上辺２３および下辺２５からなる枠体が環状に形成された構成を前提とすると、次のような構成により実現するとよい。
【００５７】
具体的には、図１６,図１７に示すように、脚部２０それぞれにおける第２領域３５,３７が左右方向に沿ってその内側へと延びた位置で上辺２３とつながり、左右の脚部２０における第２領域３５，３７それぞれが前後方向にズレた位置から延び始める、といった構成により実現することが考えられる。
【００５８】
このような構成においては、一対の脚部２０を側方平面へ投影した場合に、脚部２０における第２領域３５,３７それぞれが同じ高さに位置しているものの（図１７の側面図など参照）、上記各実施形態と同様、机１を同じ構成の机２に積重ねたり（図１８（ａ）参照）、同じ机３と隣接して配置したりすることが可能である（図１８（ｂ）；矢印（１）〜矢印（２）参照）。
【００５９】
こうして、机１を同じ構成の机３と隣接して配置するに際しては、左右一方（本実施形態では「右」）の脚部２０における第２領域３５が、左右他方（本実施形態では「左」）の脚部２０における第２領域３７の前後方向の内側を通過しているため、ここのように第２領域３５，３７が前後方向にズレている距離にわたって、隣接する机３における脚部２０と干渉することなく、前後の端部を揃えた状態で机１，３同士を接近させることができる。
（３−３）その３
また、第２領域３５，３７における別の位置関係としては、一対の脚部２０を側方平面へ投影した場合に、左右一方の脚部２０において第２領域３５につながれた脚２１の上端側が、左右他方の脚部２０における第２領域３７よりも前後方向および上下方向の内側を通過するような位置関係とすることが考えられる。
【００６０】
この位置関係は、第１実施形態と同様に、上辺２３それぞれが前方の脚２１同士および後方の脚２１同士をつなぐことで、一対の脚部２０全体が環状の構造体として形成された構成を前提とすると、次のような構成により実現するとよい。
【００６１】
具体的には、図１９,図２０に示すように、左右一方（本実施形態では「右」）の脚部２０における第２領域３５が、前後他方（本実施形態では「後」）の上辺２３において左右外側まで延出する右端を、その位置において、前方方向に傾斜する後の脚２１における上端とつなぎ、左右他方（本実施形態では「左」）の脚部２０における第２領域３７が、後の上辺２３の左端から左後方へと斜めに延出したうえで後の脚２１とつながる、といった構成である。
【００６２】
このような構成においては、一対の脚部２０を側方平面へ投影した場合に、脚部２０における第２領域３５,３７が上下方向に重なっているものの（図２０参照）、上記各実施形態と同様、机１を同じ構成の机２に積重ねたり（図２１（ａ）参照）、同じ机３と隣接して配置したりすることが可能である（図２１（ｂ）；矢印（１）〜矢印（２）参照）。
【００６３】
こうして、机１を同じ構成の机３と隣接して配置するに際しては、右の脚部２０において第２領域３５につながれた脚２１の上端側が、左の脚部２０における第２領域３７の前後方向の内側を通過しているため、このような位置関係にある距離にわたって、隣接する机３における脚部２０と干渉することなく、前後の端部を揃えた状態で机１，３同士を接近させることができる。
【符号の説明】
【００６４】
１…机、２…机、３…机、１０…天板、１１…収納棚、１３…幕板、２０…脚部、２１…脚、２３…上辺、２５…下辺、３１…第１領域、３３…第１領域、３５…第２領域、３７…第２領域、４１…上辺連結杆、５１…脚連結杆、５３…補助脚部、６１…第１連結杆、６３…第２連結杆、６５…第３連結杆。
【図１】
2014061263.tif 000003
【図２】
2014061263.tif 000004
【図３】
2014061263.tif 000005
【図４】
2014061263.tif 000006
【図５】
2014061263.tif 000007
【図６】
2014061263.tif 000008
【図７】
2014061263.tif 000009
【図８】
2014061263.tif 000010
【図９】
2014061263.tif 000011
【図１０】
2014061263.tif 000012
【図１１】
2014061263.tif 000013
【図１２】
2014061263.tif 000014
【図１３】
2014061263.tif 000015
【図１４】
2014061263.tif 000016
【図１５】
2014061263.tif 000017
【図１６】
2014061263.tif 000018
【図１７】
2014061263.tif 000019
【図１８】
2014061263.tif 000020
【図１９】
2014061263.tif 000021
【図２０】
2014061263.tif 000022
【図２１】
2014061263.tif 000023